(57)【要約】高移動度Ｐチャネルパワー金属酸化膜半導体電界効果トランジスタが開示されている。本発明の実施形態によると、正孔が、（１１０）結晶面に沿った反転／蓄積チャネルに流れ、かつ、負電位がソースに対するゲートに印加される時の電流の流れが［１１０］方向であるようにパワーＭＯＳＦＥＴが製造される。正孔のチャネル移動度の向上は、オン状態抵抗のチャネル部分の低減をもたらし、それによりデバイスの「オン」抵抗全体を有利に低減することができる。
2009521808.tif 000002
【特許請求の範囲】
【請求項１】
正孔電流が、（１１０）面内、かつ、［１１０］、［１１１］、［１１２］、［００１］およびこれらの等価物からなる群より選択された方向、に流れるように制限されている、垂直トレンチＭＯＳＦＥＴ。
【請求項２】
（１１０）ウエハに製造されている、請求項１に記載の垂直トレンチＭＯＳＦＥＴ。
【請求項３】
前記正孔電流が、前記ＭＯＳＦＥＴのソースに対する前記ＭＯＳＦＥＴデバイスのゲートに負電圧電位を印加することに応答する、請求項２に記載の垂直トレンチＭＯＳＦＥＴ。
【請求項４】
Ｐチャネルと、
［１１０］方向の表面方位を有するシリコンウエハと、
（１１０）面内の電流の流れと、
［１１０］、［１１１］、［１１２］、［００１］およびこれらの等価物からなる群より選択された方向の電流の流れと、を備える、プレーナＤＭＯＳＦＥＴのチャネル構造。
【請求項５】
ゲートと、
ソースと、
反転／蓄積チャネルと、を備え、
正孔が、前記反転／蓄積チャネルを流れ、
前記チャネルが、（１１０）結晶面に沿って整列され、
前記流れが、負電位が前記ソースに対する前記ゲートに印加される時に、［１１０］、［１１１］、［１１２］、［００１］およびこれらの等価物からなる群より選択された方向である、パワーＭＯＳＦＥＴ構造。
【請求項６】
トレンチＭＯＳＦＥＴを製造する方法であって、前記方法は、
［１１０］、［１１１］、［１１２］、［００１］およびこれらの等価物からなる群より選択された方向の表面方位を有するシリコンウエハを利用すること、
（１１０）面または等価面にトレンチをエッチングすること、を備える、方法。
【請求項７】
前記トレンチＭＯＳＦＥＴが、ソースに対する前記ＭＯＳＦＥＴデバイスのゲートに印加された負電圧電位によって動作される時、（１１０）面または等価面内、かつ、［１１０］方向の反転チャネル内の電流の流れを有する、請求項６に記載の方法。
【発明の詳細な説明】
【関連出願】
【０００１】
本出願は、２００５年１２月２２日に出願された、「Ｈｉｇｈ  Ｍｏｂｉｌｉｔｙ  Ｐ−Ｃｈａｎｎｅｌ  Ｔｒｅｎｃｈ  Ｐｏｗｅｒ  Ｍｅｔａｌ−Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒｓ」と題され、Ｐａｔｔａｎａｙａｋらへの米国仮特許出願第６０／７５３，５５０号、代理人整理番号ＶＩＳＨ−８７５６．ＰＲＯの優先権を請求するものであり、これは全体を参照して本明細書に組み込まれる。
【技術分野】
【０００２】
本発明の実施形態は半導体の設計および製造に関する。より具体的には、本発明の実施形態は、高移動度パワー金属酸化膜半導体電界効果トランジスタのためのシステムおよび方法に関する。
【背景技術】
【０００３】
ＭＯＳＦＥＴ（metal-oxide semiconductor field effect transistor）デバイスのオン状態（つまり「オン」）抵抗は、とりわけパワーデバイスについては重要な性能係数である。例えば、このようなデバイスがオンの時、つまり導通している時、システムパワーの一部は、デバイスにおける抵抗加熱により失われる。これは著しい効率の低下を招く。このような抵抗加熱は、また、熱放散に関する問題を招くことがあり、この問題はまた、システムの過熱および／または信頼性の低下を招くことがある。結果として、オン抵抗の低いデバイスが非常に所望される。
【０００４】
ＭＯＳＦＥＴ（metal-oxide semiconductor field effect transistor）デバイスのオン抵抗には、大抵、チャネル、ドリフト層および基板コンポーネントの抵抗が含まれる。低電圧ＭＯＳＦＥＴについて、チャネル抵抗成分が支配的に寄与している。チャネル抵抗は、チャネルにおけるキャリアの移動度に反比例する。シリコンにおいて、チャネルにおけるキャリアの移動度は結晶面および電流の流れの方向に依存し、この依存性は、異なるタイプのキャリア、例えば、電子対正孔、について異なる。
【０００５】
ＭＯＳＦＥＴは、結晶シリコンで製造されるであろう。結晶格子に関する形態は一般にミラー指数を用いて説明され、ミラー指数は、結晶の結晶軸、例えばａ、ｂおよびｃを参照する。結晶は周期的であるため、等価な方向および等価な面の群（family）が存在する。この場合、面、例えば結晶インゴットからスライスされたウエハの表面、は括弧で囲んで、例えば（ａｂｃ）として説明される。この表記は、（ａｂｃ）面および等価面を記述する。結晶格子に関する方向は、角括弧で囲んで、例えば［ａｂｃ］として説明されている。この表記は、［ａｂｃ］方向および等価方向を記述する。
【０００６】
シリコンにおける電子の移動度は、（１００）結晶面において最大であることが知られており、また電流の流れの方向への依存度は低い。反対に、正孔の移動度は、結晶面の方位および電流の流れの方向の両方の強い関数である。正孔の移動度は、（１１０）結晶面および［１１０］方向で最大である。
【０００７】
（１１０）結晶面における正孔の移動度は、［１１０］方向で最大となる電流の流れの方向に依存することがずいぶん長い間知られている（Ｄ．Ｃｏｌｍａｎら、Ｊｏｕｒｎａｌ  ｏｆ  Ａｐｐｌｉｅｄ  Ｐｈｙｓｉｃｓ、ｐｐ．１９２３〜１９３１、１９６８）。これらの実験結果は図１（従来技術）のグラフに示されている。図１のグラフから、従来の（１００）方位と比較して、（１１０）結晶面の正孔移動度はゲートバイアスに応じて２倍以上増大されていることが明らかである。
【０００８】
Ｐｌｕｍｍｅｒらはまた、（１１０）結晶面に平行なトレンチ側壁を有する（１００）ウエハ上に製造されたトレンチパワーＭＯＳＦＥＴが、電流の流れの方向は同じく［１００］方向であるが、（１１０）面に平行なトレンチ壁を有する対応するトレンチＭＯＳＦＥＴより高いゲート電圧でより高い正孔移動度を示すことを報告している（１９８０  ＩＥＤＭ、ｐｐ．１０４〜１０６）。
【０００９】
最近では、多くの著者が、正孔移動度は（１１０）面内および［１１０］方向で最大であると繰り返し述べている（Ｈ．Ｉｒｉｅら、ＩＥＤＭ、ｐｐ．２２５〜２２８、２００４および参照）。トレンチ側面デバイスの特許もまたＷｅｎｄｅｌｌ  Ｐ．Ｎｏｂｌｅらに認められている（２００３年６月１７日に発行された米国特許第６，５８０，１５４号）。
【００１０】
しかしながら、従来のＰチャネルトレンチＭＯＳＦＥＴデバイスは、正孔が（１００）結晶面に沿った反転チャネルに流れ、かつ電流の流れの方向が［１００］方向であるように製造される。
【発明の開示】
【００１１】
従って、オン抵抗が低減されたパワーＭＯＳＦＥＴデバイスの必要性がある。さらに必要なものは、正孔が、（１００）面に拘束され、かつ、［１１０］方向に流れるＰチャネルトレンチパワーＭＯＳＦＥＴのためのシステムおよび方法である。半導体の設計および製造のための既存のシステムおよび方法と適合し、かつ、これらに対して相補的なパワーＭＯＳＦＥＴ用のシステムおよび方法がさらに必要とされる。本発明の実施形態はこれらの利点を提供する。
【００１２】
高移動度Ｐチャネルパワー金属酸化膜半導体電界効果トランジスタが開示されている。本発明の実施形態によると、正孔が、（１１０）結晶面に沿った反転／蓄積チャネルに流れ、かつ、負電位がソースに対するゲートに印加される時の電流の流れが［１１０］方向であるようにパワーＭＯＳＦＥＴが製造される。正孔のチャネル移動度の向上は、オン状態抵抗のチャネル部分の削減をもたらし、それによりデバイスの「オン」抵抗全体を有利に低減することができる。
【００１３】
本発明のさらに別の実施形態によると、パワーＭＯＳＦＥＴ構造はゲートおよびソースを含む。パワーＭＯＳＦＥＴはさらに、反転／蓄積チャネルを含み、正孔は上記反転／蓄積チャネルを流れる。チャネルは、（１１０）結晶面に沿って整列（aligned）され、負電位が上記ソースに対する上記ゲートに印加される時の電流の流れは［１１０］方向である。
【００１４】
本明細書に組み込まれており、かつこの一部をなす添付の図面は本発明の実施形態を図示しており、また説明と合わせて本発明の原理を説明する。特段の記載がない限り、図面は等縮尺で描かれてはいない。
【発明を実施するための最良の形態】
【００１５】
次に本発明の種々の実施形態を詳細に参照するが、これらの実施例は添付の図面に図示されている。本発明はこれらの実施形態と関連して説明されるが、これらの実施形態に本発明を制限する意図はない点が理解される。反対に、本発明は代替例、修正および同等物をカバーすることを意図しており、これらは、添付の特許請求の範囲によって定義されているように本発明の主旨および範囲に含まれる。さらに、本発明に関する以下の詳細な説明では、本発明に関する十分な理解を提供するために多数の具体的詳細が説明されている。しかしながら、本発明はこれらの具体的詳細なしでも実践可能な点は当業者によって認識される。他の例では、周知の方法、手順、コンポーネントおよび回路は、本発明の態様を不必要に不明確にしないために詳細には説明されていない。
【００１６】
図２は、従来のＰチャネルトレンチパワーＭＯＳＦＥＴを製造するために使用可能な従来のウエハ２００を図示している。ウエハ２００は、（００１）フラットを有する（００１）ウエハとして説明されている。ウエハ２００は、また、＜０１０＞方向のフラットを有するものとして説明されてもよい。ウエハ２００の上部表面は（１００）面である。電流がウエハ、例えば、ウエハ２００、の上部表面から下面表面に流れるようなトレンチＭＯＳＦＥＴにおける電流の流れの方向は、常に［１００］方向、例えば、図２に図示されているように、当該図面の面の中へ向かう方向である点が認識されるべきである。
【００１７】
図３、図４、図５、図６および図７は、様々な異なるトレンチ回転でのトレンチの形成を図示している。図３は、クローズドセルトレンチ構造３００を示している。垂直３１０および水平３２０のトレンチは等価（１００）面にある。
【００１８】
図４は、４５度の回転で形成されたクローズドセルトレンチ構造４００を図示している。回転されたトレンチ４１０および４２０は等価（１１０）面にある。
【００１９】
図５は、ストリップセルトレンチ構造５００を図示している。垂直トレンチ５１０は等価（１００）面にある。
【００２０】
図６は、４５度の回転で形成されたストリップセルトレンチ構造６００を図示している。回転されたトレンチ６１０は等価（１１０）面にある。
【００２１】
図７は、−４５度の回転で形成されたストリップセルトレンチ構造７００を図示している。回転されたトレンチ７１０は等価（１１０）面にある。
【００２２】
図５のストリップセルトレンチ構造５００を備えるダイと、図６の４５度の回転で形成されたトレンチ構造６００を備えるダイの実験例を製造した。予備分析は、例えば電流の流れが（１１０）面にある時に、４５度の回転で形成された回転されたトレンチ構造６００の全抵抗は、（１００）面のトレンチを有する従来技術のデバイスより低いことを示している。
【００２３】
しかしながら、電流の流れは、ウエハ２００の（１１０）面に整列（aligned）されるであろうが、トレンチ電流の流れは、上述されているように、［１００］方向である点が認識されるべきである。
【００２４】
図８Ａ、図８Ｂ、図８Ｃおよび図８Ｄは、本発明の実施形態に従った様々なフラットを有する（１１０）ウエハを図示している。本発明に従った実施形態に十分に適した他のフラットもある点が認識されるべきである。図８Ａのウエハ８００は、（１１０）面を有する（１１０）ウエハとして説明されている。［００１］、［１１１］および［１１０］を含む様々な結晶方位が図示されている。例えば図８Ａに示されているような、ウエハ８００の上部表面は（１１０）面である。
【００２５】
図８Ｂのウエハ８１０は、（１１１）フラットを有する（１１０）ウエハとして説明されている。［１１１］結晶方位が図示されている。例えば図８Ｂに示されているような、ウエハ８１０の上部表面は（１１０）面である。図８Ｃのウエハ８２０は、（００１）フラットを有する（１１０）ウエハとして説明されている。［００１］および［１１０］結晶方位が図示されている。例えば図８Ｃに示されているような、ウエハ８２０の上部表面は（１１０）面である。
【００２６】
図８Ｄのウエハ８３０は、（１１２）フラット平面を有する（１１０）ウエハとして説明されている。［１１２］結晶方位が図示されている。例えば図８Ｄに示されているような、ウエハ８３０の上部表面は（１１０）面である。
【００２７】
本発明の実施形態によると、ウエハ８００（図８Ａ）に形成されたトレンチＭＯＳＦＥＴは、（１１０）面内かつ［１１０］方向の正孔電流の流れを有するであろう。例えば、上部表面から下部表面への電流の流れは、［１１０］方向、例えば、図８Ａに図示されているように、図面の面へ向かう方向、であってもよい。
【００２８】
本発明の他の実施形態によると、ウエハ８１０（図８Ｂ）に形成されたトレンチＭＯＳＦＥＴは、（１１０）面内かつ［１１１］方向の正孔電流の流れを有するであろう。
【００２９】
本発明の代替実施形態によると、ウエハ８２０（図８Ｃ）に形成されたトレンチＭＯＳＦＥＴは、（１１０）面内かつ［００１］方向の正孔電流の流れを有するであろう。
【００３０】
本発明のさらに他の実施形態によると、ウエハ８３０（図８Ｄ）に形成されたトレンチＭＯＳＦＥＴは、（１１０）面内かつ［１１２］方向の正孔電流の流れを有するであろう。
【００３１】
図９は、本発明の実施形態に従った、ウエハ８００（図８Ａ）のフラットに垂直なエッチングされたトレンチ９００を図示している。トレンチ９００は、（１１０）または等価面にある点が認識される。ウエハ表面が、（１１０）面であるため、正孔電流の流れの方向もまた従って、［１１０］方向である。本発明の実施形態は、例えば図８Ｂ、図８Ｃおよび／または図８Ｄに図示されているように、他のフラット方位に垂直に形成されたトレンチに十分適している点が認識される。
【００３２】
図１０は、本発明の実施形態に従った、ウエハ８００（図８Ａ）のフラットに平行および垂直なエッチングされたトレンチ１０００を図示している。トレンチ１０００は、（１００）または等価面にある点が認識される。ウエハ表面が（１１０）面であるため、正孔電流の流れの方向もまた従って、［１１０］方向である。本発明の実施形態は、例えば図８Ｂ、図８Ｃおよび／または図８Ｄに図示されているように、他のフラット方位に対して形成されたトレンチに適している点が認識される。
【００３３】
図１１は、本発明の実施形態に従った、トレンチＭＯＳＦＥＴ構造１１００の概略図を図示している。トレンチＭＯＳＦＥＴ構造１１００は、Ｐ＋ソース１１００と、Ｎボディ１１３０と、Ｐ＋ドレイン１１２０と、を備える。トレンチＭＯＳＦＥＴ構造１１００は、電子電流および正孔電流の両方に対して所望の方位を提供するために、ウエハ８００（図８Ａ）の中およびウエハ８００上に形成されてもよい。トレンチＭＯＳＦＥＴ構造１１００の結晶面方向が図１１に図示されている。トレンチＭＯＳＦＥＴ構造１１００のソース１１００とドレイン１１２０間の電流の流れは、［１１０］（または等価）方向である点が認識されるべきである。本発明の実施形態は、例えば図８Ｂ、図８Ｃおよび／または図８Ｄに図示されているように、他のフラット方位に垂直に形成されているトレンチに十分適している点が認識される。
【００３４】
図１２は、本発明の実施形態に従ったプレーナデプレッションモード（planar depletion-mode）ＭＯＳＦＥＴ（ＤＭＯＳＦＥＴ）Ｐチャネル構造１２００の概略図を図示している。プレーナＤＭＯＳＦＥＴＰチャネル構造１２００は、Ｐ＋ソース１２１０と、Ｎボディ１２３０と、Ｐ＋ドレイン１２２０と、を備える。プレーナＤＭＯＳＦＥＴＰチャネル構造１２００は、電子電流及び正孔電流の両方に所望の方位を提供するためにウエハ８００（図８Ａ）の中およびウエハ８００上に形成されてもよい。プレーナＤＭＯＳＦＥＴＰチャネル構造１２００の結晶面方向が、図１２に図示されている。プレーナＤＭＯＳＦＥＴＰチャネル構造１２００のソース１２１０とドレイン１２２０間の電流は、［１１０］（または等価）方向である点が認識されるべきである。本発明の実施形態は、例えば図８Ｂ、図８Ｃおよび／または図８Ｄに図示されているように、他のフラット方位に垂直なチャネル整列（alignment）に十分適している点が認識される。
【００３５】
酸化膜成長速度は、異なる結晶面では異なる点が認識される。例えば、［１００］方向と比較して［１１０］方向では酸化膜は一般的により速く成長する。（１１０）面の表面電荷は（１００）面の約２倍である。高移動度ＭＯＳＦＥＴの必要とされる閾値電圧に対して設計する際にこれらの特徴を考慮することが望ましい。
【００３６】
図１３は、本発明の実施形態に従った高移動度Ｐチャネル蓄積トレンチＭＯＳＦＥＴ１３００の概略図を図示している。トレンチＭＯＳＦＥＴ１３００は、ソース金属１３１０と、絶縁膜１３２０と、Ｐ＋ソース領域１３３０と、Ｎボディ１３４０と、を備える。トレンチＭＯＳＦＥＴ１３００は、また、ポリシリコンゲート１３５０と、ゲート酸化膜１３９０と、Ｐ−ドリフト領域１３６０と、を備える。トレンチＭＯＳＦＥＴ１３００はさらに基板１３７０とドレインメタライゼーション１３８０とを備える。
【００３７】
トレンチＭＯＳＦＥＴ１３００は、図１３に示されているように［１１０］方向で製造される点が認識されるべきである。本発明の実施形態によると、トレンチＭＯＳＦＥＴ１３００は、（１１０）フラットに垂直に形成されてもよい。本発明の実施形態は、図８Ｂ、図８Ｃおよび／または図８Ｄに図示されているように、他のフラット方位に垂直に形成されたトレンチに十分適している点が認識される。
【００３８】
電流が導通している間、トレンチＭＯＳＦＥＴ１３００は、チャネル（Ｎボディ１３４０）を反転させて、ゲート１３５０の付近にＰ＋蓄積層を形成する低濃度にドープされた蓄積領域（Ｐ−ドリフト領域１３６０）に電荷を蓄積する。従って、Ｎボディ１３４０内ならびにゲート１３５０に隣接して形成された蓄積層内の反転層に電流は流れる。
【００３９】
ブレークダウン電圧は、ドリフト領域に延びるＰＮ接合で支持されている。しかしながら、従来のトレンチＭＯＳＦＥＴと異なり、ドリフト抵抗は２つの平行成分からなっている：一つは、蓄積領域の抵抗であり、もう一つは、ドリフト領域の抵抗である。蓄積抵抗成分はドリフト領域抵抗より小さい。本発明の実施形態によると、ドリフト領域の全抵抗は、（１１０）面内および［１１０］方向の電流の流れによって、従来の蓄積パワーＭＯＳＦＥＴデバイスの対応する値から実質的に低減される。
【００４０】
この新規のＭＯＳＦＥＴ設計において、蓄積層の面を（１１０）として、かつ蓄積層の方向を［１１０］として、ＭＯＳＦＥＴを製造することによって、蓄積層抵抗は大幅に、例えば約２倍低減される。
【００４１】
本発明に従った実施形態は、オン抵抗が低減されたパワーＭＯＳＦＥＴデバイス用のシステムおよび方法を提供する。本発明に従った実施形態はまた、正孔が（１１０）面に拘束され、かつ［１１０］方向に流れるＰチャネルトレンチパワーＭＯＳＦＥＴ用のシステムおよび方法を提供する。さらに、本発明に従った実施形態は、半導体の設計および製造の既存のシステムおよび方法に適合し、かつこれに対して相補的なパワーＭＯＳＦＥＴ用のシステムおよび方法を提供する。
【００４２】
本発明の種々の実施形態である高移動度Ｐチャネルパワー金属酸化膜半導体電界効果トランジスタはこのように説明されている。本発明は具体的な実施形態で説明されてきたが、本発明はこのような実施形態によって制限されるものとして解釈されるのではなく、以下の特許請求の範囲に従って解釈されるべきである点が認識されるはずである。
【図面の簡単な説明】
【００４３】
【図１】結晶面方位に基づいた正孔移動度の実験的測定を図示している。
【図２】従来のＰチャネルトレンチパワーＭＯＳＦＥＴを製造するために使用される従来のウエハを図示している。
【図３】トレンチ回転でのトレンチの形成を図示している。
【図４】他のトレンチ回転でのトレンチの形成を図示している。
【図５】他のトレンチ回転でのトレンチの形成を図示している。
【図６】他のトレンチ回転でのトレンチの形成を図示している。
【図７】他のトレンチ回転でのトレンチの形成を図示している。
【図８Ａ】本発明の実施形態に従った、フラットを有する（１１０）ウエハを図示している。
【図８Ｂ】本発明の実施形態に従った、他のフラットを有する（１１０）ウエハを図示している。
【図８Ｃ】本発明の実施形態に従った、他のフラットを有する（１１０）ウエハを図示している。
【図８Ｄ】本発明の実施形態に従った、他のフラットを有する（１１０）ウエハを図示している。
【図９】本発明の実施形態に従った、ウエハのフラットに垂直なエッチングされたトレンチを図示している。
【図１０】本発明の実施形態に従った、ウエハのフラットに平行および垂直なエッチングされたトレンチを図示している。
【図１１】本発明の実施形態に従った、トレンチＭＯＳＦＥＴ構造の概略図を図示している。
【図１２】図１２は、本発明の実施形態に従った、プレーナデプレッションモードＭＯＳＦＥＴ（ＤＭＯＳＦＥＴ）Ｐチャネル構造の概略図を図示している。
【図１３】図１３は、本発明の実施形態に従った、高移動度ＰチャネルトレンチＭＯＳＦＥＴデバイスの概略図を図示している。
【図１】
2009521808.tif 000003
【図２】
2009521808.tif 000004
【図３】
2009521808.tif 000005
【図４】
2009521808.tif 000006
【図５】
2009521808.tif 000007
【図６】
2009521808.tif 000008
【図７】
2009521808.tif 000009
【図８Ａ】
2009521808.tif 000010
【図８Ｂ】
2009521808.tif 000011
【図８Ｃ】
2009521808.tif 000012
【図８Ｄ】
2009521808.tif 000013
【図９】
2009521808.tif 000014
【図１０】
2009521808.tif 000015
【図１１】
2009521808.tif 000016
【図１２】
2009521808.tif 000017
【図１３】
2009521808.tif 000018
【国際調査報告】
2009521808.tif 000019
2009521808.tif 000020